(57)【要約】【課題】被監視者の生活状態データを定時的、随時的に受信格納し、被監視者の生活情報により被監視者の安全生活を監視し、緊急介護が必要な事態が発生すると、救済センタに介護救済を実行させ、被監視者の安全生活を管理する生活状態監視システムの提供。【解決手段】  監視住居域１に居住する被監視者２０ａ１、２０ａ２・・２０ｎの生活予定データが安全監視センタ１０のデータメモリ１０Ｍに格納され、カメラ制御回路１３は、データメモリ１０Ｍの格納データと出入検知センサ５ａ・・５ｎの検知信号により、監視カメラ６ａ、７ａ・・に、所定時間毎の定時撮影と随時の確認撮影を行なわせ、被監視者２０ａ１、２０ａ２・・の安全生活維持の管理をする。また、定時撮影データ、確認撮影データ、生活予定データ及び出入検知センサの検知信号から被監視者２０ａ１、２０ａ２・・に発生する緊急事態を判定し救済センタ１４に緊急介護を実行させる。【選択図】図１
2011018298.tif 000002
【特許請求の範囲】
【請求項１】
緊急時の介護が必要な被監視者の家屋内での生活状態を監視する監視手段と、前記家屋への人の出入りを検知する出入検知センサとが前記家屋に配設され、
前記監視手段の監視データ及び前記出入検知センサの検知データが受信格納されるデータメモリと、該データメモリの格納データを表示するモニタと、前記データメモリの格納データに基づいて、前記監視手段の動作を制御する監視手段制御回路と、前記データメモリの格納データに基づい、緊急検知信号を出力する緊急通報回路とが配設され、前記被監視者の安全生活の維持を管理する安全監視センタと、
前記緊急通報回路からの緊急検知信号を受信すると、前記被監視者の介護動作を開始する救済センタと
を有することを特徴とする生活状態監視システム。
【請求項２】
監視手段制御回路が、所定時間間隔で監視手段に定時監視動作を行なわせる請求項１記載の生活状態監視システム。
【請求項３】
監視手段制御回路が、出入検知センサの検知データに基づき、監視手段に確認動作を行なわせる請求項１または請求項２記載の生活状態監視システム。
【請求項４】
請求項１ないし請求項３の何れかに記載の生活状態監視システムに、被監視者の生活予定データをデータメモリに入力する予定データ入力回路が設けられていることを特徴とする生活状態監視システム。
【発明の詳細な説明】
【技術分野】
【０００１】  本発明は、被監視者の日常の生活状態を監視し、緊急介護が要求される事態を検知すると、救済センタに介護救済を迅速且つ的確に実行させることにより、被監視者の安全生活の維持を管理する生活状態監視システムに関する。
【背景技術】
【０００２】  社会の高齢化と少子化に伴って、本人に緊急介護が要求される事態が発生した場合に、緊急介護を行なう同居人がいない人々が増加している。これらの人々には、通院時や買物時の外出も含めて、日常の生活は何ら支障なく実行できる二人暮しの老夫婦や、妻に先立たれ日常生活は支障なく済ませている一人暮らしの老人などが該当する。以下、本明細書ではこれらの人々を被監視者と呼ぶことにする。【０００３】  このように、日常の生活は支障なくこなすことはできるが、緊急介護が要求される事態が発生した場合に、外部からの迅速な介護が必要となる被監視者のために、最近は地方行政でも各種の便宜をはかるようになっている。
例えば、交通事故の多い交通幹線道路の周辺を避け、生活に必要な食料品を含む日常用品が入手可能なコンビニエンス・ストアに徒歩で安全に行ける郊外地域を開発し、そこに被監視者の住居となるマンションなどの監視住居域を建設し、この監視住居域に被監視者を集合的に居住させることが進められている。この監視住居域には管理人が常駐する管理センタが設けられ、管理人は被監視人の各住居を所定の時間間隔で巡回訪問したり、定期的に電話で生活状態を尋ねたりして、被監視者の安全管理を行なっている。【０００４】  このような管理人による被監視者の生活安全管理では、管理が必要な被管理人の数に限りがあり、また、管理人が把握できる各被監視者の生活情況データも限度があり、緊急介護が要求される事態の発生時に、迅速且つ的確に緊急介護ができないこともある。
【発明の概要】
【発明が解決しようとする課題】
【０００５】  本発明は、前述したような被監視者に対する生活安全管理の現状に鑑みてなされたものであり、その目的は、多数の被監視者の生活状態データを定時的、必要に応じては随時的に受信格納し、被監視者の生活情報に対応して被監視者の安全生活を監視し、緊急介護が要求される事態の発生時には、救済センタに介護救済を迅速且つ的確に実行させ、被監視者の安全生活の維持を管理する生活状態監視システムを提供することにある。
【課題を解決するための手段】
【０００６】  前記目的を達成するために、請求項１記載の第１の発明は、緊急時の介護が必要な被監視者の家屋内での生活状態を監視する監視手段と、前記家屋への人の出入りを検知する出入検知センサとが前記家屋に配設され、前記監視手段の監視データ及び前記出入検知センサの検知データが受信格納されるデータメモリと、該データメモリの格納データを表示するモニタと、前記データメモリの格納データに基づいて、前記監視手段の動作を制御する監視手段制御回路と、前記データメモリの格納データに基づいて、緊急検知信号を出力する緊急通報回路とが配設され、前記被監視者の安全生活の維持を管理する安全監視センタと、前記緊急通報回路からの緊急検知信号を受信すると、前記被監視者の介護動作を開始する救済センタとを有することを特徴とするものである。【０００７】  第１の発明によると、安全監視センタのデータメモリには、被監視者の居住する家屋の監視手段の監視データと、家屋の出入検知センサの検知データとが受信格納され、データメモリの格納データはモニタに表示される。
この場合、監視手段制御回路により、データメモリの格納データに基づいて監視手段の動作が制御され、データメモリの格納データに基づいて、緊急通報回路からは緊急検知信号が出力される。そして、救済センタは、緊急通報回路からの緊急検知信号を受信すると被監視者の介護動作を開始する。【０００８】  このようにして、第１の発明によると、多数の被監視者の生活状態データを定時的、必要に応じては随時的に受信し、データベースに格納しながら、被監視者の生活情報に対応して、被監視者の安全生活を確実に監視し、緊急介護が要求される事態の発生時には、救済センタに対して介護救済を迅速且つ的確に実行させて、被監視者の安全生活の維持を管理する。【０００９】  同様に前記目的を達成するために、請求項２記載の第２の発明は、第１の発明において、監視手段制御回路が監視手段に所定時間間隔で定時動作を行なわせることを特徴とするものである。【００１０】  第２の発明によると、第１の発明での作用に加えて、監視手段制御回路によって、監視手段に対して所定時間間隔での定時動作が行なわれ、定時監視データがデータメモリに逐次格納される。【００１１】  同様に前記目的を達成するために、請求項３記載の第３の発明は、第１または第２の発明において、監視手段制御回路が、出入検知センサの検知データに基づき、監視手段に確認動作を行なわせることを特徴とするものである。【００１２】  第３の発明によると、第１の発明または第２の発明での作用に加えて、監視手段制御回路によって、出入検知センサの検知データに基づき、監視手段に対して確認動作が行なわれ、確認監視データが随時データメモリに格納される。【００１３】  同様に前記目的を達成するために、請求項４記載の第４の発明は、第１の発明ないし第３の発明の何れかの発明に被監視者の生活予定データをデータメモリに人力する予定データ入力回路が設けられていることを特徴とするものである。【００１４】  第４の発明によると、第１の発明ないし第３の発明の何れかの発明で得られる作用に加えて、予定データ入力回路によって、被監視者の生活予定データがデータメモリに入力され、生活予定データとして格納される。
【発明の効果】
【００１５】  第１の発明によると、多数の被監視者の生活状態データを定時的、必要に応じては随時的に受信しデータメモリに格納しながら、被監視者の在宅及び外出・帰宅の生活情報に対応して、被監視者の安全生活を確実に監視し、緊急介護が要求される事態の発生時には、救済センタに対して介護救済を迅速且つ的確に実行させることが可能になる。【００１６】  第２の発明によると、第１の発明で得られる効果に加えて、監視手段制御回路によって、監視手段に対して所定時間間隔での定時監視動作が行なわれ、得られた定時監視データがデータメモリに逐次格納されるので、定時的監視で得られる多数の監視データに基づき、より確実に被監視者の安全生活の監視確認を行なうことが可能になる。【００１７】  第３の発明によると、第１の発明または第２の発明で得られる効果に加えて、監視手段制御回路によって、出人検知センサの検知データに基づき、監視手段に対して確認監視動作が行なわれ、確認監視データが随時データメモリに格納されるので、被監視者と外来者の出入りを確認判別し、被監視者の安全確認をより確実に行なうことが可能になる。【００１８】  第４の発明によると、第１の発明ないし第３の発明の何れかの発明で得られる効果に加えて、予定データ入力回路によって、被監視者の生活予定データがデータメモリに入力され、生活予定データとして格納されるので、被監視者の生活予定を把握して、被監視者の安全確認をより確実に行なうことが可能になる。
【図面の簡単な説明】
【００１９】
【図１】  本発明の１実施例の構成を示すブロック説明図である。
【発明を実施するための形態】
【００２０】  以下に本発明の１実施例を、図１を参照して説明する。
【実施例】
【００２１】  実施例には、図１に示すようにｎ軒の家屋２ａ〜２ｎからなる監視住居域１が設けられており、実施例では家屋２ａに二人の被監視者２０ａ１、２０ａ２が住んでおり、家屋２ｎには被監視者２０ｎが一人で住んでいる場合が示されている。
ｎ軒の家屋２ａ・・・２ｎは、それぞれ二部屋からなる同一家屋形式で、本実施例は監視手段として監視カメラを使用した場合で、各部屋の天井には各部屋に在室する被監視者を撮影する監視カメラ６ａ、７ａ・・・６ｎ、７ｎが配設されている。
図１では家屋２ａにおいては、監視カメラ６ａによりソファに座っている被監視者２０ａ１が撮影され、監視カメラ７ａにより、調理中の被監視者２０ａ２が撮影される状態が示されている。同様にして家屋２ｎにおいては、監視カメラ７ｎにより就寝中の被監視者２０ｎが撮影される状態が示されている。【００２２】  一方、家屋２ａ・・・２ｎのドア３ａ・・・３ｎには、ドアの開錠動作、施錠動作及び動作発生位置情報に基づき、ドア３ａ・・・３ｎからの人の出入りを検知する出入検知センサ５ａ・・・５ｎが配設されている。
また実施例には、監視住居域１に居住する被監視者の安全生活維持の管理にあたる管理人が常駐する安全監視センタ１０が設けられており、この安全監視センタ１０には各種のデータが格納されるデータメモリ１０Ｍが内設されている。そして、監視カメラ６ａ、７ａ・・・６ｎ、７ｎと出入検知センサ５ａ・・・５ｎとは、安全監視センタ１０に接続され、監視カメラ６ａ、７ａ・・・６ｎ、７ｎの撮影データと、出入検知センサ５ａ・・・５ｎの検知データとは、安全監視センタ１０に送信され、データメモリ１０Ｍに格納されるように構成されている。【００２３】  管理人が常駐する安全監視センタ１０には、データメモリ１０Ｍの格納データを表示するモニタ１１、モニタ１０Ｍの格納データに基づいて、監視カメラ６ａ、７ａ・・・６ｎ、７ｎの動作を制御するカメラ制御回路１３、モニタ１０Ｍの格納データに基づいて、緊急検知信号を出力する緊急通報回路１２及び被監視省２０ａ１、２０ａ２・・・２０ｎの生活予定データが入力される予定データ入力回路１５接続され、緊急通報回路１２は救済センタ１４に接続されている。【００２４】  監視住居域１の家屋での住居予定者は、入居に際して各人の起床時刻、就寝時刻、外出時間帯などの生活予定データを管理人に提出し、これらの生活予定データは、管理人によって予定データ入力回路１５を介してデータメモリ１０Ｍに格納される。また、生活予定データの変更は、変更期間データも含めて直ちに管理人に連絡され、管理人は常に最新の生活予定データをデータメモリ１０Ｍに格納する。
平常時はカメラ制御回路１３の指令に基づき、３０分間隔で監視カメラ６ａ、７ａ・・・６ｎ、７ｎにより、それぞれ対応する部屋の在住者が定時撮影される。この場合、ドア３ａ・・・３ｎの出入検知センサ５ａ・・・５ｎの検知データにより、家屋２ａ・・・２ｎの何れかに人の出人りが検知されると、対応する家屋の生活予定データをも勘案して、カメラ制御回路１３から確認指令が出力され、対応する家屋の監視カメラに対して確認撮影動作が行なわれる。【００２５】  例えば、家屋２ｎに住む被監視者２０ｎの生活データが、午前１０時過ぎに外出するとの内容である場合、午前１０時までの監視カメラ７ｎの定時撮影で、被監視者２０ｎの就寝画像が撮影され、午前１０時３０分の定時撮影では監視カメラ６ｎ、７ｎの何れにも被監視者２０ｎが撮影されず、出入検知センサ５ｎからの検知データにより、家屋２ｎから人が外出しドア３ｎの施錠も検知されると、被監視者２０ｎは、現在外出中で予定した生活を安全に行なっていることが確認される。
この場合、被監視者２０ｎの外出は確認されたが、ドア３ｎが施錠されていないと検知されると、管理者はモニタ１１に被監視者２０ｎの生活予定データを表示し、外出時間が長時間にわたる予定であることを知った場合は、家屋２ｎに赴いて合鍵でドア３ｎを施錠する。【００２６】  一方、午前１０時３０分の定時撮影で、監視カメラ７ｎには被監視者２０ｎは撮影されておらず、出入検知センサ５ｎからの検知データで家屋２ｎに人の出入りはなく、ドア３ｎも施錠状態にままにあると判定されると、カメラ制御回路１３による確認撮影が行なわれる。この監視カメラ６ｎによる確認撮影で被監視者２０ｎが床に倒れている画像が撮影された場合には、管理人は直ちに家屋２ｎに駆け付け、被監視人２０ｎは単に滑って転んだだけで、時間をずらして出掛けようとしているのか、ドア３ｎの前で気分が悪くなって倒れ、緊急介護が必要であるのかを確かめる。
そして、緊急介護が必要な場合は、緊急通報回路１２から救急センタ１４に緊急検知信号が入力され、救済センタ１４から出動した救急車によって、被監視者２０ｎは救済センタ１４に搬送され、緊急センタ１４で対応する緊急治療が行なわれる。【００２７】  また、家屋２ａの生活予定データに基づき、被監視者２０ａ１が一人で予定通り外出し、出入検知センサ５ａの検知信号で外出時の施錠もされ、監視カメラ６ａ、６ｂの確認撮影により被監視者２０ａ２だけが在宅していることが確認されたとする。しかし、この確認後の被監視者２０ａの外出時間帯にある定時撮影で、監視カメラ７ａにより、家屋２ａ内で争うようにして激しく動いている二人の人間の画像が撮影され、出入検知センサ５ａの検知信号によりドア３ａは開施されていたとする。【００２８】  この状態は、被監視者２０ａの外出中に不審者がブザーを鳴らし、被監視者２０ａ２が開いたドア３ａから家屋２ａ内に押し入って、留守番をしていた被監視者２０ａ２と争っていると判断される。この場合は、管理人は直ちに近くの駐在所に緊急電話をし、警察官共々家屋２ａに駆け付け不審者の逮捕に協力することになる。【００２９】  本実施例によると、監視住居域１に居住する被監視者２０ａ１、２０ａ２・・・２０ｎの生活予定データが安全監視センタ１０のデータメモリ１０Ｍに予め格納され、カメラ制御回路１３は、データメリ１０Ｍの格納データと出入検知センサ５ａ・・・５ｎの検知信号に基づいて、監視カメラ６ａ、７ａ・・・６ｎ、７ｎに、所定時間ごとの定時撮影と随時の確認撮影とを行なわせることにより、被監視者２０ａ１、２０ａ２・・・２０ｎの安全生活の維持の確認を的確に管理することが可能になる。
また、監視カメラ６ａ、７ａ〜６ｎ、７ｎの定時撮影データと確認撮影データ、生活予定データ及び出入検知センサ５ａ〜５ｎの検知信号により、被監視者２０ａ１、２０ａ２・・・２０ｎに発生した緊急事態を迅速的確に判定し、救済センタ１４に緊急介護を迅速に実行させることが可能になる。
なお、実施例では監視手段として監視カメラを使用した場合を説明したが、本発明はこの実施例に限定されるものではなく、監視光の被監視者からの反射光を検出して、被監視者の存在を確認することも可能である。
【符号の説明】
【００３０】１  監視住居域
２ａ〜２ｎ  家屋
３ａ〜３ｎ  ドア
５ａ〜５ｎ  出入検知センサ
６ａ、７ａ〜６ｎ、７ｎ  監視カメラ
１０  安全監視センタ
１０Ｍ  データメモリ
１１  モニタ
１２  緊急通報回路
１３  カメラ制御回路
１４  救済センタ
１５  予定データ入力回路
【図１】
2011018298.tif 000003